(57)【要約】【課題】スタッドボルトへの装着後、緩みを防止することができるスタッドボルトの延長治具を提供する。【解決手段】延長治具１０は、一端１０ａに形成された雄ねじ部２４と、他端１０ｂに形成され、スタッドボルト１４に嵌り合う雌ねじ部２６とを含む棒状の治具本体部２０と、治具本体部２０の外周面に形成され、治具本体部２０を回動させる工具に係合する係合部２８と、雌ねじ部２６に対して嵌り合うスタッドボルト１４に引っ掛かり、治具本体部２０の回動を防止する回動防止部３０とを有する。この回動防止部３０により、装着後の延長治具１０の緩みを防止することができる。【選択図】図１
2012057653.tif 000002
【特許請求の範囲】
【請求項１】
固定対象となる構造物に植え込まれたスタッドボルトにねじ込んで使用されるスタッドボルトの延長治具において、
一端に形成された雄ねじ部と、他端に形成され、スタッドボルトに嵌り合う雌ねじ部とを含む棒状の治具本体部と、
治具本体部の外周面に形成され、治具本体部を回動させる工具に係合する係合部と、
雌ねじ部に対して嵌り合うスタッドボルトに引っ掛かり、治具本体部の回動を防止する回動防止部と、
を有することを特徴とするスタッドボルトの延長治具。
【請求項２】
請求項１に記載のスタッドボルトの延長治具において、
回動防止部は、治具本体部の外周面から雌ねじ部に向かって挿入される、
ことを特徴とするスタッドボルトの延長治具。
【請求項３】
請求項２に記載のスタッドボルトの延長治具において、
係合部は、雄ねじ部より他端側に位置する、
ことを特徴とするスタッドボルトの延長治具。
【請求項４】
請求項３に記載のスタッドボルトの延長治具において、
係合部は、この係合部と、雌ねじ部に対して嵌り合うスタッドボルトとを軸に平行な平面に投影したときに重なるように配置され、
回転防止部は、この係合部から雌ねじ部に向かって挿入される、
ことを特徴とするスタッドボルトの延長治具。
【請求項５】
請求項１に記載のスタッドボルトの延長治具をスタッドボルトにねじ込み方法において、
工具を係合部に係合させるステップと、
工具により治具本体部を回動させて、この治具本体部をスタッドボルトにねじ込むステップと、
回転防止部により治具本体部の回動を防止するステップと、
を有することを特徴とするねじ込み方法。
【発明の詳細な説明】
【技術分野】
【０００１】
本発明は、スタッドボルトにねじ込んで使用されるスタッドボルトの延長治具の構造の改良に関する。
【背景技術】
【０００２】
従来から、外周に雄ねじが形成された棒状のスタッドボルトが知られている。このスタッドボルトは、これの一端が、固定対象となる構造物に植え込まれ、他端から、外周の雄ねじにナットが螺着されることで使用される。
【０００３】
下記特許文献１には、軸方向におけるスタッドボルトの長さを延ばすための延長治具が開示されている。この延長治具は、棒状の治具本体を有し、治具本体の外周面には雄ねじが形成され、治具本体の一端側にスタッドボルトを螺合する雌ねじ孔が形成されている。また、治具本体の他端には、この治具本体を回動させるドライバ等の工具と係合する係合溝が形成されている。
【先行技術文献】
【特許文献】
【０００４】
【特許文献１】特開２００９−２０６８号公報
【発明の概要】
【発明が解決しようとする課題】
【０００５】
上記特許文献１の延長治具においては、ドライバ等の工具を係合溝に係合させ、その工具により治具本体を回動させることにより、治具本体の雄ねじ孔とスタッドボルトとを螺合させることができる。しかしながら、このように工具により締め付けた後であっても、振動等の影響により、延長治具がスタッドボルトから緩んでしまうという問題がある。
【０００６】
スタッドボルトに対して延長治具が緩んでしまうという問題を解消するため、溶接によって延長治具をスタッドボルトに固定することが考えられる。しかし、溶接作業は手間がかかるとともに、溶接作業で発生する高熱または飛散する溶融金属により、スタッドボルトが植え込まれる構造物、例えばエレベータのかご室に設けられる意匠品が損傷してしまう可能性がある。
【０００７】
本発明の目的は、簡易な構造で、スタッドボルトを延長することができ、装着後の緩みを防止することができるスタッドボルトの延長治具を提供することにある。
【課題を解決するための手段】
【０００８】
本発明は、固定対象となる構造物に植え込まれたスタッドボルトにねじ込んで使用されるスタッドボルトの延長治具において、一端に形成された雄ねじ部と、他端に形成され、スタッドボルトに嵌り合う雌ねじ部とを含む棒状の治具本体部と、治具本体部の外周面に形成され、治具本体部を回動させる工具に係合する係合部と、雌ねじ部に対して嵌り合うスタッドボルトに引っ掛かり、治具本体部の回動を防止する回動防止部と、を有することを特徴とする。
【０００９】
また、回動防止部は、治具本体部の外周面から雌ねじ部に向かって挿入されることが好適である。
【００１０】
また、係合部は、雄ねじ部より他端側に位置することが好適である。
【００１１】
また、係合部は、この係合部と、雌ねじ部に対して嵌り合うスタッドボルトとを軸に平行な平面に投影したときに重なるように配置され、回転防止部は、この係合部から雌ねじ部に向かって挿入されることが好適である。
【００１２】
また、スタッドボルトの延長治具をスタッドボルトにねじ込み方法において、工具を係合部に係合させるステップと、工具により治具本体部を回動させて、この治具本体部をスタッドボルトにねじ込むステップと、回転防止部により治具本体部の回動を防止するステップと、を有することを特徴とする。
【発明の効果】
【００１３】
本発明のスタッドボルトの延長治具によれば、簡易な構造で、スタッドボルトを延長することができ、装着後の緩みを防止することができる。
【図面の簡単な説明】
【００１４】
【図１】本実施形態に係るスタッドボルトの延長治具の構成を示す図である。
【図２】図１のＡ方向から見た図である。
【図３】構造物に植え込まれたスタッドボルトの状態を示す図である。
【図４】スタッドボルトの延長治具の使用状態を示す図である。
【発明を実施するための形態】
【００１５】
以下、本発明に係るスタッドボルトの延長治具の実施形態について、図を用いて説明する。一例として、エレベータのかご室の壁に設置される鏡を挙げ、この鏡の裏面に植え込まれたスタッドボルトを延長するために使用される延長治具について説明する。
【００１６】
なお、本発明の延長治具は、鏡に植え込まれるスタッドボルトに限らず、固定対象となる構造物に植え込まれる、いかなるスタッドボルトにも適用することができる。
【００１７】
図１は、本実施形態に係るスタッドボルトの延長治具（以降、単に延長治具と記す）の構成を示す図であり、図２は、図１のＡ方向から見た図であり、図３は、構造物に植え込まれたスタッドボルトの状態を示す図である。
【００１８】
延長治具１０は、固定対象となる構造物に植え込まれたスタッドボルト１４にねじ込んで使用される治具である。本実施形態のスタッドボルト１４は、図３に示されるように、鏡１２の裏面に植え込まれている。鏡１２は、スタッドボルト１４を介してかご室の壁１６に固定される。つまり、図３の左側がかご室の壁１６内となる。上述の植え込まれるとは、鏡１２にスタッドボルト１４が確実に固定されている状態のことであり、その固定方法は、溶接、打ち込み、またはアンカーへのねじ込みなどの周知の方法を採用することができる。
【００１９】
延長治具１０は、軸方向１８に延びる棒状の治具本体部２０を有する。本実施形態の治具本体部２０は、軸方向１８に貫通する貫通孔２２が形成される円筒形状である。
【００２０】
治具本体部２０は、一端１０ａ側から他端１０ｂに向けて形成された雄ねじ部２４と、貫通孔２２に形成された雌ねじ部２６と、治具本体部２０の外周面に形成され、治具本体部２０を回動させる工具（図示せず）に係合する係合部２８と、治具本体部２０の回動を防止する回動防止部３０とを有する。
【００２１】
雄ねじ部２４は、治具本体部２０の外周面に、固定用ナット３２（図４に示す）と嵌り合うように形成される。雄ねじ部２４は、外周面において他端１０ｂ側に位置する係合部２８まで形成される。なお、本実施形態においては、雄ねじ部２４が係合部２８まで形成される場合について説明したが、本発明はこの構成に限定されない。固定用ナット３２と嵌り合って、鏡１２を壁１６に固定することができるのであれば、一端１０ａ側にのみ、言い換えれば軸方向１８において一端１０ａから所定の長さだけ形成されてもよい。この長さは、例えば鏡１２と固定用ナット３２により壁１６を十分に挟持することができる長さである。
【００２２】
雌ねじ部２６は、治具本体部２０に内周面に、すなわち貫通孔２２に、スタッドボルト１４と嵌り合うように形成される。雌ねじ部２６は、貫通孔２２において、他端１０ｂから一端１０ａまで形成される。なお、本実施形態においては、雌ねじ部２６が、貫通孔２２全てに形成される場合について説明したが、本発明はこの構成に限定されない。治具本体部２０がスタッドボルト１４と嵌り合い、しかもスタッドボルト１４のねじ山に代わって雄ねじ部２４が軸方向１８へ延長することができるのであれば、他端１０ｂ側にのみ、言い換えれば軸方向１８において他端１０ｂから所定の長さだけ形成されてもよい。この長さは、少なくとも、軸方向１８におけるスタッドボルト１４の長さである。この場合、治具本体部２０に貫通孔２２を形成する代わりに、上述の所定の長さに相当する孔を形成することができる。
【００２３】
係合部２８は、例えば六角ナット形状である。この形状により、スパナなどの工具により治具本体部２０を容易に回動させることができる。なお、本発明はこの構成に限定されず、係合部２８は、工具により挟持可能な、少なくとも２つの挟持面により形成されてもよい。
【００２４】
係合部２８は、雄ねじ部２４より他端１０ｂ側に位置する。具体的には、係合部２８は、この係合部２８と、雌ねじ部２６に対して嵌り合うスタッドボルト１４とを軸方向１８に平行な平面に投影したときに重なるように配置されることが好適である。本実施形態においては、図１に示されるように、係合部２８は、他端１０ｂに配置される。
【００２５】
また、係合部２８には、回動防止部３０が挿入される挿入孔３４が形成される。挿入孔３４は、治具本体部２０の外周面から内周面に向かって貫通するように形成され、挿入孔３４の内周面にはねじ山が形成される。なお、本実施形態においては、挿入孔３４が係合部２８に形成される場合について説明したが、本発明はこの構成に限定されない。雌ねじ部２６に対して嵌り合ったときのスタッドボルト１４の側面に通じるのであれば、挿入孔３４を、治具本体部２０の外周面、例えば雄ねじ部２４の領域から雌ねじ部２６に向かって形成することもできる。
【００２６】
回動防止部３０は、雌ねじ部２６に対して嵌り合うスタッドボルト１４に引っ掛かる部材である。具体的には、回動防止部３０は皿ねじである。この皿ねじが挿入孔３４にねじ込まれ、皿ねじの先端が挿入孔３４より突出してスタットボルト１４に当接することで治具本体部２０の回動を防止することができる。なお、本実施形態においては、回動防止部３０が皿ねじである場合について説明したが、本発明はこの構成に限定されない。スタッドボルト１４に当接して引っ掛かることができるのであれば、回動防止部３０が、例えばくさび形状の部材であってもよい。この場合、くさび形状の部材に接着剤を塗布することで、挿入孔３４からの脱落を防止することができる。なお、回動防止部３０が皿ねじである場合においても、ネジロックなどの緩み防止剤を塗布することで、挿入孔３４に対する皿ねじの緩みを防止でき、その結果、治具本体部２０の回動を確実に防止することができる。
【００２７】
次に、延長治具１０をスタッドボルト１４にねじ込む動作について、図４を用いて説明する。図４は、スタッドボルトの延長治具の使用状態を示す図である。
【００２８】
まず、鏡１２に植え込まれたスタッドボルト１４の先端と、延長治具１０の雌ねじ部２６とを嵌め、工具を係合部２８に係合させる。そして、その工具により治具本体部２０を回動させて、この治具本体部２０をスタッドボルト１４にねじ込む。このねじ込みより、延長治具１０の他端１０ｂを、スタッドボルト１４の根元、すなわち鏡１２まで移動させる。そして、回動防止部３０を挿入孔３４に挿入して、治具本体部２０の回動を防止する。
【００２９】
その後、鏡１２を壁１６に取り付け、治具本体部２０の一端１０ａ側から固定用ナット３２をねじ込むことにより、鏡１２が壁１６に固定される。固定用ナット３２は、スタッドボルト１４に対応するナットより径が大きいので、締付力の向上を図ることができる。なお、固定用ナット３２の緩み防止対策として、ダブルナットまたは緩み防止剤の塗布などを施すことができる。
【００３０】
本実施形態の延長治具１０によれば、図３に示されるように、スタッドボルト１４の長さが短く、スタッドボルト１４に対応するナットの掛かり代が不足する場合であっても、そのスタッドボルト１４に延長治具１０を取り付けることにより、軸方向１８における長さを容易に延長することができる。つまり、ナット（本実施形態の固定用ナット３２）の掛かり代を充足させることができる。
【００３１】
また、本実施形態の延長治具１０には、雌ねじ部２６に対して嵌り合うスタッドボルト１４に引っ掛かり、治具本体部２０の回動を防止する回動防止部３０が設けられているので、スタットボルト１４への装着後における延長治具１０の緩みを確実に防止することができる。
【符号の説明】
【００３２】
１０  延長治具、１２  鏡、１４  スタッドボルト、１６  壁、１８  軸方向、２０  治具本体部、２２  貫通孔、２４  雄ねじ部、２６  雌ねじ部、２８  係合部、３０  回動防止部、３２  固定用ナット、３４  挿入孔。
【図１】
2012057653.tif 000003
【図２】
2012057653.tif 000004
【図３】
2012057653.tif 000005
【図４】
2012057653.tif 000006